【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
コネクタに着脱可能なキャップ部に線状体または帯状体が、分離可能に連結されていることを特徴とするコネクタ保護キャップ。
【請求項２】
前記線状体または帯状体の少なくとも一部に、切断容易な細経化された部分が形成されていることを特徴とする請求項１に記載のコネクタ保護キャップ。
【請求項３】
前記線状体または帯状体の一部に情報保存部を備えていることを特徴とする請求項１または２に記載のコネクタ保護キャップ。
【請求項４】
前記線状体または帯状体の自由端に環形状の把持部が形成されていることを特徴とする請求項１〜３のいずれか１項に記載のコネクタ保護キャップ。
【手続補正２】
【補正対象書類名】明細書
【補正対象項目名】０００６
【補正方法】変更
【補正の内容】
【０００６】
特許文献３に開示のように、コネクタのブーツ部分にバーコードを付した情報の表示部材を設けることで、コネクタの識別を容易にすることができる。しかし、識別用の情報保存体を読取るには、ブーツをコネクタ本体から引き出す必要があり、また、取り付け面が小さく、表示する情報はコネクタ番号等の限られたものとなる。また、特許文献４に開示のように、ＩＣタグ等の情報保存のメモリ部材をコネクタのハウジング部に埋め込むことで、多くの情報の書き込みと読取りを容易にすることができる。しかし、コネクタと一体的に形成するため、コネクタ形状を増大させ、また、コネクタ設置後にＩＣタグを持ち帰って一括管理するというようなことはできないという不便さがある。
【手続補正３】
【補正対象書類名】明細書
【補正対象項目名】０００７
【補正方法】変更
【補正の内容】
【０００７】
本発明は、上述した実情に鑑みてなされたもので、保護キャップの取り扱い性を向上させ、また、コネクタの情報保存用の部材による管理を容易にしたコネクタ保護キャップを提供することを目的とする。
【手続補正４】
【補正対象書類名】明細書
【補正対象項目名】０００８
【補正方法】変更
【補正の内容】
【０００８】
本発明によるコネクタ保護キャップは、コネクタに着脱可能なキャップ部に線状体または帯状体が、分離可能に連結されていることを特徴とする。なお、前記の線状体または帯状体の少なくとも一部に、切断容易な細径化された部分が形成されているのが好ましい。
また、線状体または帯状体の一部に情報保存部を備え、線状体または帯状体の自由端に環形状の把持部が形成されているのが望ましい。
【手続補正５】
【補正対象書類名】明細書
【補正対象項目名】０００９
【補正方法】変更
【補正の内容】
【０００９】
本発明によれば、コネクタに着脱可能なキャップ部は、分離可能な線状体または帯状体に一体的に設けられ、手に持って作業する際の取り扱いがよく、紛失することも少なく、線状体または帯状体を分離除去することで、キャップ部を嵩張らない状態にすることができる。また、情報保存部は、ケーブル設置後は、コネクタ部分から切り離して持ち帰り、他のケーブルの情報保存部とともに一括管理し、事故発生等に対する対応を容易にすることができる。
【手続補正６】
【補正対象書類名】明細書
【補正対象項目名】００１０
【補正方法】変更
【補正の内容】
【００１０】
図により本発明の実施の形態を説明する。図１は本発明によるコネクタ保護キャップの一例を示す図、図２は光コネクタに保護キャップを被せた状態を示す部分図である。図中、１はコネクタ保護キャップ、２はキャップ部、２ａは閉塞壁、３は把持部、３ａはスリット、4は情報保存部、５は線状体または帯状体に、５ａ，５ｂは細径部、６はフェルール、７，８は光ファイバ、９は光ファイバスプライス部、１０はコネクタ筐体、１１はブーツ、１２は光コネクタを示す。
【手続補正７】
【補正対象書類名】明細書
【補正対象項目名】００１１
【補正方法】変更
【補正の内容】
【００１１】
本発明によるコネクタ保護キャップ１は、図１に示すように、把持部３とコネクタに着脱可能なキャップ部２に線状体ないしは帯状体５を連結し、線状体または帯状体５の途中部分に情報保存部４を一体的に設けて構成される。また、キャップ部２と情報保存部４間を連結する線状体または帯状体５の少なくとも一方は、細径部５ａ，５ｂで示すように切断容易に細径化されている。また、把持部３に連なる線状体または帯状体５と情報保存部４との連結部分も同様に細径化してもよい。
【手続補正８】
【補正対象書類名】明細書
【補正対象項目名】００１２
【補正方法】変更
【補正の内容】
【００１２】
コネクタに着脱可能なキャップ部２は、コネクタの未使用状態で外部に露出された部分から内部に塵埃等の異物が入らないように、例えば、合成樹脂材の成型によって形成され、コネクタ前面部分を被う一端に閉塞壁２ａを有する有底筒状で形成される。コネクタが光ファイバの接続に使用される光コネクタである場合、コネクタの筐体部分を含めて被う嵌合タイプのものと、フェルール部分のみを被う挿入タイプのものとがある。本発明では、何れのタイプにも適用することができるが、図の説明には、後者の光コネクタのフェルール部分のみを被う挿入タイプの例で説明する。図１では、キャップ部２が、組立て前の光コネクタのフェルール６に嵌合されている状態を示し、光接続の接続面となるフェルール先端に、異物が付着したり、傷が付くのを保護している。
【手続補正９】
【補正対象書類名】明細書
【補正対象項目名】００１５
【補正方法】変更
【補正の内容】
【００１５】
光コネクタ１２には、使用する前の未使用の段階では、コネクタ保護キャップのキャップ部２が挿入されて、フェルール６を被い被接続部分を保護する。この場合、キャップ部２の単体構造は、外形寸法が数ｍｍ程度の小さいもので、紛失しやすく、手で摘んで光コネクタ内に挿入するには注意力が必要で取り扱いにくいが、線状体または帯状体５を掴んで扱うことにより取り扱い性が向上される。なお、コネクタ保護キャップとして、この段階で、線状体または帯状体５が不要となれば切断除去してもよい。線状体または帯状体５を除去することで、光コネクタの周囲が嵩張らない状態をすることができる。
【手続補正１０】
【補正対象書類名】明細書
【補正対象項目名】００１７
【補正方法】変更
【補正の内容】
【００１７】
また、本発明によるコネクタ保護キャップ１は、線状体または帯状体５の途中の適当な位置に情報保存部４を備えるようにすることもできる。この情報保存部４は、例えば、線状体または帯状体５と一体的に矩形の板状に形成される。板状面には、キャップ部２が被せられる光コネクタの情報、例えば、コネクタの配列番号、設置日時、布設場所等を一次元バーコード、二次元バーコード（ＱＲコード）で記録させて、これを光学的に読み出し可能にしておくことができる。
【手続補正１１】
【補正対象書類名】明細書
【補正対象項目名】００２１
【補正方法】変更
【補正の内容】
【００２１】
また、本発明によるコネクタ保護キャップ１は、情報保存部４に連結した把持部３を備えていることも特徴としている。把持部３は、例えば、ケーブルの外径より多少大きい内径を有する環形状で、一部にスリット３ａを入れて、ケーブル側方からの嵌め込みが可能な開放可能形状とされている。また、この把持部３は、ケーブル外周に巻き付け固定することができる結束バンドのような形状で形成することもできる。
【手続補正１２】
【補正対象書類名】明細書
【補正対象項目名】００２２
【補正方法】変更
【補正の内容】
【００２２】
図３は、コネクタ保護キャップ１の使用形態と上記の把持部３の活用例を示す図である。図３（Ａ）は、把持部３を光コネクタ１２が取り付けられた光ケーブル１３（又は、光コード）に嵌め込み、キャップ部２と情報保存部４の吊り支持に利用する例である。光コネクタ１２が未使用状態では、キャップ部２を光コネクタ１２に挿入してフェルール６に嵌合し、その接続端面を保護する。
【手続補正１３】
【補正対象書類名】明細書
【補正対象項目名】００２３
【補正方法】変更
【補正の内容】
【００２３】
このとき、線状体または帯状体５は、細径部５ａ又は５ｂで切断して除去してもよいが、そのまま残しておいてもよい。また、光コネクタが使用状態ではキャップ部２は、光コネクタ１２から外される。このときも、キャップ部２は、線状体または帯状体５とともに除去してもよいが、将来、光コネクタ１２が未使用状態になる場合もあることを想定して、邪魔でなければ除去しないで残しておいてもよい。
【手続補正１４】
【補正対象書類名】明細書
【補正対象項目名】００２７
【補正方法】変更
【補正の内容】
【００２７】
本発明によるコネクタ保護キャップは、上述したように、コネクタの保護用キャップに分離可能な線状体または帯状体を一体的に形成している。これにより、小さな保護用キャップの取り扱い性を向上させ、また、紛失しやすいということに対しての改善を図ることができる。また、コネクタの設置の一連の作業に関連させて、コネクタの個別情報をそれぞれに確実に付与することができ、コネクタ接続の照合や不良対策に迅速に対応することが可能となる。
【手続補正１５】
【補正対象書類名】明細書
【補正対象項目名】００２９
【補正方法】変更
【補正の内容】
【００２９】
１…コネクタ保護キャップ、２…キャップ部、２ａ…閉塞壁、３…把持部、３ａ…スリット、４…情報保存部、５…線状体または帯状体、５ａ，５ｂ…細径部、６…フェルール、７，８…光ファイバ、９…光ファイバスプライス部、１０…コネクタ筐体、１１…ブーツ、１２…光コネクタ、１３…光ケーブル、１４…介在繊維、１５…光ファイバ心線。